【手続補正書】
【提出日】令和2年3月4日(2020.3.4)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
ビデオデータのコーディングツリーブロック(CTB)のためのツリーデータ構造の領域ツリーの領域ツリーレベルで1つまたは複数のシンタックス要素を復号するステップであって、前記領域ツリーが0個以上の領域ツリー非リーフノードおよび1つまたは複数の領域ツリーリーフノードを含む1つまたは複数の領域ツリーノードを有し、前記領域ツリー非リーフノードの各々が4つの子領域ツリーノードを有する、ステップと、
前記領域ツリーレベルの前記シンタックス要素を使用して、前記領域ツリーノードが前記子領域ツリーノードへとどのように分割されるかを決定するステップと、
前記CTBのための前記ツリーデータ構造の1つまたは複数の予測ツリーの前記領域ツリーリーフノードの各々のために予測ツリーレベルで1つまたは複数のシンタックス要素を復号するステップであって、前記予測ツリーが各々、前記領域ツリーリーフノードの1つまたは複数に対応するルートノードと、0個以上の予測ツリー非リーフノードおよび1つまたは複数の予測ツリーリーフノードを含む1つまたは複数の予測ツリーノードとを有し、前記予測ツリー非リーフノードの各々が第2の数の子予測ツリーノードを有し、前記第2の数が2または3であり、前記予測ツリーリーフノードの各々がそれぞれのコーディング単位(CU)を定義する、ステップと、
前記予測ツリーレベルの前記シンタックス要素を使用して、前記予測ツリーノードが前記子予測ツリーノードへとどのように分割されるかを決定するステップと、
前記領域ツリーレベルの前記シンタックス要素および前記予測ツリーレベルの前記シンタックス要素に少なくとも部分的に基づいて、予測データおよび変換データを含む、前記CUの各々に対するビデオデータを復号するステップであって、前記予測データが、前記CUの対応する1つについての予測ブロックを形成するための予測モードを示し、前記変換データが、前記CUの前記対応する1つについての変換された残差データを表す残差変換係数を含む、ステップと
を備える、方法。
【請求項２】
前記領域ツリーレベルで前記シンタックス要素を復号するステップおよび前記予測ツリーレベルで前記シンタックス要素を復号するステップが、前記領域ツリーレベルまたは前記予測ツリーレベルのうちの少なくとも1つのための1つまたは複数のさらなる分割のないツリータイプを復号するステップを備え、前記さらなる分割のないツリータイプは、さらなる分割が許可されないことを意味する、請求項1に記載の方法。
【請求項３】
前記領域ツリーレベルに対する最大の領域ツリー深度を表すデータを復号するステップをさらに備える、請求項1に記載の方法。
【請求項４】
前記予測ツリーレベルに対する最大の予測ツリー深度を表すデータを復号するステップをさらに備え、好ましくは
前記最大の領域ツリー深度と前記最大の予測ツリー深度の合計が最大の合計深度値より小さい、
請求項3に記載の方法。
【請求項５】
前記最大の領域ツリー深度を表す前記データを復号するステップが、シーケンスパラメータセット(SPS)、ピクチャパラメータセット(PPS)、またはスライスヘッダのうちの1つまたは複数から前記最大の領域ツリー深度を表す前記データを復号するステップを備える、請求項3に記載の方法。
【請求項６】
前記領域ツリーレベルに対する最大の領域ツリー深度と前記予測ツリーレベルに対する最大の予測ツリー深度との両方を一緒に表す1つのシンタックス要素を復号するステップをさらに備え、好ましくは
前記最大の領域ツリー深度と前記最大の予測ツリー深度とを一緒に表す前記1つのシンタックス要素を復号するステップが、シーケンスパラメータセット(SPS)、ピクチャパラメータセット(PPS)、またはスライスヘッダのうちの1つまたは複数から前記1つのシンタックス要素を復号するステップを備える、
請求項1に記載の方法。
【請求項７】
前記領域ツリーノードのうちの少なくとも1つまたは前記予測ツリーノードのうちの少なくとも1つを備える少なくとも1つのノードが分割されることを前記ノードのための分割されたデータを復号することなく推測するステップをさらに備え、好ましくは
推測するステップが、前記少なくとも1つのノードが、ピクチャ境界、スライス境界、またはタイル境界のうちの少なくとも1つにまたがる、前記ノードに対応するブロックに基づいて分割されることを推測するステップを備える、
請求項1に記載の方法。
【請求項８】
前記領域ツリー深度および前記予測ツリー深度が互いに重複するかどうかを示すデータを復号するステップをさらに備える、請求項1に記載の方法。
【請求項９】
前記CUの各々の前記ビデオデータが、スキップフラグ、マージインデックス、前記CUがインターモードもしくはイントラモードを使用して予測されるか表すシンタックス要素、イントラモード予測情報、動き情報、変換情報、残差情報、または量子化情報のうちの1つまたは複数を備える、請求項1に記載の方法。
【請求項１０】
前記領域ツリーレベルで前記1つまたは複数のシンタックス要素を復号するステップが、前記CUの各々のための前記ビデオデータを復号する前に、前記予測ツリーのための分割情報を表す1つまたは複数のシンタックス要素を復号するステップを備え、好ましくは
前記方法が、前記CUの各々のための前記ビデオデータを復号する前に、前記分割情報を使用してCUの数を決定するステップをさらに備える、
請求項1に記載の方法。
【請求項１１】
前記領域ツリーレベルで前記シンタックス要素を復号するステップが、前記領域ツリーレベルで1つまたは複数の有効なコーディングツールを表す1つまたは複数のシンタックス要素を復号するステップを備え、好ましくは
前記方法が、前記CUの境界が前記領域ツリーの前記領域ツリーリーフノードのうちの1つによって示されるような共通の領域内にあるとき、前記CUの前記境界にまたがって前記コーディングツールを適用するステップをさらに備える、
請求項1に記載の方法。
【請求項１２】
前記有効なコーディングツールのうちの1つまたは複数を表す前記データを復号するステップが、重複ブロック動き補償(OBMC)が前記領域ツリーリーフノードのうちの前記1つに対応する前記ビデオデータのブロックに対して有効であるかどうかを表す、前記領域ツリーリーフノードの各々の中のOBMCモード情報を復号するステップを備えるか、
前記有効なコーディングツールの1つまたは複数を表す前記データを復号するステップが、重複変換が前記領域ツリーリーフノードのうちの前記1つに対応する前記ビデオデータのブロックに対して有効であるかどうかを表す、前記領域ツリーリーフノードの各々の中の重複変換情報を復号するステップを備え、重複変換が、前記領域ツリーリーフノードのうちの前記1つに対応する領域の2つの予測ブロックの間の境界と変換ブロックが重複することが許可されるコーディングツールを備えるか、または
前記有効なコーディングツールのうちの1つまたは複数を表す前記データを復号するステップが、前記領域ツリーリーフノードに対応する領域内の前記CUのすべてが、スキップモード、マージモード、イントラモード、インターモード、またはフレームレートアップコンバージョン(FRUC)モードを使用してコーディングされるかを示す、前記領域ツリーリーフノードのうちの1つまたは複数の中のデータを復号するステップを備え、前記領域のうちの1つの中の前記CUのすべてが共通のモードを使用してコーディングされるとき、前記方法が、CUレベルでの前記CUのためのモード情報の復号を防ぐステップをさらに備える、
請求項11に記載の方法。
【請求項１３】
前記領域ツリーレベルで前記シンタックス要素を復号するステップが、サンプル適応オフセット(SAO)パラメータまたは適応ループフィルタ(ALF)パラメータのうちの少なくとも1つを復号するステップを備えるか、
前記方法が、前記領域ツリーレベルまたは前記予測ツリーレベルのうちの少なくとも1つにおいて1つまたは複数の中央−側部3分木シンタックス要素を復号するステップをさらに備えるか、または
前記方法が、前記CUの各々のためのそれぞれの量子化パラメータ(QP)を計算するステップであって、前記領域ツリーリーフノードの各々の基本QPを決定するステップと、前記CUの前記対応する領域ツリーリーフノードの前記基本QPに基づいて前記それぞれのQPを計算するステップとを備える、ステップをさらに備える、
請求項1に記載の方法。
【請求項１４】
前記ビデオデータを復号する前に前記ビデオデータを符号化するステップをさらに備える、請求項1に記載の方法。
【請求項１５】
ビデオデータを復号するためのデバイスであって、
ビデオデータを記憶するように構成されるメモリと、
回路で実装されるプロセッサであって、前記回路が、
ビデオデータのコーディングツリーブロック(CTB)のためのツリーデータ構造の領域ツリーの領域ツリーレベルで1つまたは複数のシンタックス要素を復号することであって、前記領域ツリーが0個以上の領域ツリー非リーフノードおよび1つまたは複数の領域ツリーリーフノードを含む1つまたは複数の領域ツリーノードを有し、前記領域ツリー非リーフノードの各々が4つの子領域ツリーノードを有する、復号することと、
前記領域ツリーレベルの前記シンタックス要素を使用して、前記領域ツリーノードが前記子領域ツリーノードへとどのように分割されるかを決定することと、
前記CTBのための前記ツリーデータ構造の1つまたは複数の予測ツリーの前記領域ツリーリーフノードの各々のために予測ツリーレベルで1つまたは複数のシンタックス要素を復号することであって、前記予測ツリーが各々、前記領域ツリーリーフノードの1つまたは複数に対応するルートノードと、0個以上の予測ツリー非リーフノードおよび1つまたは複数の予測ツリーリーフノードを含む1つまたは複数の予測ツリーノードとを有し、前記予測ツリー非リーフノードの各々が第2の数の子予測ツリーノードを有し、前記第2の数が2または3であり、前記予測ツリーリーフノードの各々がそれぞれのコーディング単位(CU)を定義する、復号することと、
前記予測ツリーレベルの前記シンタックス要素を使用して、前記予測ツリーノードが前記子予測ツリーノードへとどのように分割されるかを決定することと、
前記領域ツリーレベルの前記シンタックス要素および前記予測ツリーレベルの前記シンタックス要素に少なくとも部分的に基づいて、予測データおよび変換データを含む、前記CUの各々に対するビデオデータを復号することであって、前記予測データが、前記CUの対応する1つについての予測ブロックを形成するための予測モードを示し、前記変換データが、前記CUの前記対応する1つについての変換された残差データを表す残差変換係数を含む、復号することと
を行うように構成される、プロセッサと
を備える、デバイス。
【請求項１６】
前記復号されたビデオデータを表示するように構成されるディスプレイ、または
前記ビデオデータをキャプチャするように構成されるカメラ
のうちの少なくとも1つをさらに備える、請求項15に記載のデバイス。
【請求項１７】
前記デバイスが、カメラ、コンピュータ、モバイルデバイス、ブロードキャストレシーバデバイス、またはセットトップボックスのうちの1つまたは複数を備える、請求項15に記載のデバイス。
【請求項１８】
プロセッサに、請求項1〜14のいずれか一項に記載の方法を実施させる命令を記憶した、非一時的コンピュータ可読記憶媒体。